(57)【特許請求の範囲】
【請求項１】
レンズ鏡筒の外周に形成された受け部と、
前記受け部と係合し、光軸と略平行な回転軸線回りの回転を許容する支持部材と、
を備えるレンズ鏡筒の支持構造において、
前記支持部材は、
前記回転軸線方向と略平行に形成された案内部と、
前記案内部の前後に形成され、前記回転軸線方向と略垂直方向に形成された摺動部とを含み、
前記受け部は、
前記回転軸線に対して傾斜したときに、前記案内部と摺動自在に一点で接触して回転案内する案内受け部と、
前記摺動部の前後二点と摺動自在に接触して力を受ける摺動受け部とを含むこと、
を特徴とするレンズ鏡筒の支持構造。
【請求項２】
請求項１に記載のレンズ鏡筒の支持構造において、
前記支持部材は、リング状部材であり、
前記受け部は、前記リング状部材と係合する凹状受け部であり、
前記リング状部材及び前記凹状受け部の軸線方向及びこの軸線と垂直方向に対して、このリング状部材及び凹状受け部が対称となるように配置したときであって、前記凹状受け部が前記リング状部材の回転軸線に対して傾斜した場合に、前記案内部と前記案内受け部とが接触するまでの角度θ１が、前記摺動部と前記摺動受け部とが接触するまでの角度θ２よりも大きくなるように形成されていること、
を特徴とするレンズ鏡筒。
【発明の詳細な説明】
【０００１】
【発明の属する技術分野】
本発明は、回転式三脚座などにより、カメラボディに装着されたレンズ鏡筒を回転支持するのに適したレンズ鏡筒の支持構造に関するものである。
【０００２】
【従来の技術】
図４及び図５は、従来のレンズ鏡筒の支持構造によりレンズ鏡筒を三脚に取り付けた状態を示す側面図及び平面図である。図６は、従来のレンズ鏡筒の支持構造を示す断面図である。図８は、従来のレンズ鏡筒の支持構造の他の例を示す断面図である。なお、図８に示すレンズ鏡筒の支持構造は、後述する三脚リング受け部１０の回転軸線方向の長さが異なる以外は、図６に示すレンズ鏡筒の支持構造とほぼ同一構造である。
【０００３】
カメラボディ２は、中望遠ズームレンズ鏡筒１を着脱自在に装着している。カメラボディ２には、このカメラボディ２を持ちやすくするとともに、カメラのブレを防止するために、カメラボディ２から突出したグリップ部２ａと、後述する中望遠ズームレンズ鏡筒１のレンズ側マウント部と係合する図示しないカメラボディ側マウント部が形成されている。
【０００４】
中望遠ズームレンズ鏡筒１は、このレンズ鏡筒の先端からカメラボディ２側に向けて、結像面に被写体の像を結ぶ焦点調整を手動操作により行うためのマニュアルフォーカス（ＭＦ）操作環４と、オートフォーカス−マニュアルフォーカス（ＡＦ−ＭＦ）切換環５と、焦点距離を連続的に変えて撮影を行うときに操作されるズーム操作環６と、中望遠ズームレンズ鏡筒１の一部を構成し、外周部に三脚リング受け部１０が形成された三脚リング保持部９と、この三脚リング保持部９を回転自在に支持する三脚リング７と、絞り環８などから構成されている。
【０００５】
三脚リング７は、カメラボディ２に装着された中望遠ズームレンズ鏡筒１を光軸Ｉと略平行な軸線回りに回転可能とするための部材である。
三脚リング７には、中望遠ズームレンズ鏡筒１を三脚３の雲台３ａに固定するための回転式三脚座７ａと、カメラボディ２の撮影姿勢（状態）を決定したあとにねじ込み、中望遠ズームレンズ鏡筒１の回転位置を固定することにより、撮影姿勢を保持するための角度位置設定ノブ７ｂと、中望遠ズームレンズ鏡筒１の回転軸線と略平行に形成された案内面７１ａ，７１ｂと、光軸Ｉと略垂直であって、案内面７１ａ側と案内面７１ｂ側とにそれぞれ形成された前側摺動面７１ｃ及び後側摺動面７１ｄとが設けられている。三脚リング７は、案内面７１ａ，７１ｂにおいて、後述する三脚リング受け部１０の案内受け面９ａを回転自在に支持しており、リング状に形成されている。
【０００６】
三脚リング受け部１０は、三脚リング７に対して回転自在に係合する凹状の受け部である。三脚リング受け部１０は、中望遠ズームレンズ鏡筒１の光軸Ｉと略平行であって、この三脚リング保持部９の外周部に形成された案内受け面９ａと、光軸Ｉと略垂直に形成され、前側摺動面７１ｃ及び後側摺動面７１ｄとそれぞれ対向する前側摺動受け面９ｃ及び後側摺動受け面９ｄとから構成されている。三脚リング受け部１０は、三脚リング７に回転自在に嵌め込まれており、中望遠ズームレンズ鏡筒１を三脚リング７に対して３６０°回転可能としている。
【０００７】
図４及び図５に示すように、カメラボディ２が装着された中望遠ズームレンズ鏡筒１は、三脚３の雲台３ａに三脚座７ａを介して取り付けられる。カメラボディ２が装着された中望遠ズームレンズ鏡筒１の重心位置は、このカメラボディ２のグリップ２ａが横方向に位置づけられているときには、ほぼ三脚リング７の近傍になるように設定されている。この状態では、カメラボディ２と中望遠ズームレンズ鏡筒１とは、三脚リング７に対して傾斜しておらず、図６及び図８に示すように、三脚リング受け部１０の案内受け面９ａは、三脚リング７の案内面７１ａ，７１ｂと接触しており、中望遠ズームレンズ鏡筒１は、その回転軸線に対して傾斜することなく三脚リング７により支持されている。
【０００８】
【発明が解決しようとする課題】
しかし、従来のレンズ鏡筒の取付構造により三脚撮影を行う場合であって、撮影姿勢を縦横方向に変更するときには、撮影者は、カメラボディ２のグリップ２ａを片手で握ったまま、中望遠ズームレンズ鏡筒１とカメラボディ２とを回転させていた。中望遠ズームレンズ鏡筒１とカメラボディ２との回転によりこれらの重心位置が変化すると、中望遠ズームレンズ鏡筒１は、その回転軸線に対して傾斜した状態で回転する可能性があった。
【０００９】
図７は、従来のレンズ鏡筒の支持構造により支持されたレンズ鏡筒が傾いた状態を示す断面図である。図９は、従来のレンズ鏡筒の支持構造の他の例により支持されたレンズ鏡筒が傾いた状態を示す断面図である。
図７及び図９に示すように、中望遠ズームレンズ鏡筒１の回転軸線に対して傾斜した状態で中望遠ズームレンズ鏡筒１が回転すると、前側摺動面７１ｃは、前側摺動受け面９ｃの１ヶ所と、案内面７１ａ，７１ｂは、案内受け面９ａの２ヶ所と、合計３ヶ所にて接触する。また、図７及び図９に示すように、中望遠ズームレンズ鏡筒１が図中右下がりではなく左下がりに傾斜して回転するときには、後側摺動面７１ｄは、後側摺動受け面９ｄと、案内面７１ａ，７１ｂは、案内受け面９ａと、合計３ヶ所にて接触する。
【００１０】
このために、中望遠ズームレンズ鏡筒１とカメラボディ２との重量及びこれらを回転するための操作力の一部は、案内受け面９ａと案内面７１ａ，７１ｂとが接触する３ヶ所において作用することになる。その結果、中望遠ズームレンズ鏡筒１とカメラボディ２を円滑、かつ、滑らかに回転することができず、案内受け面９ａと案内面７１ａ，７１ｂとの接触部において、いわゆるかじりを生じる可能性があった。
【００１１】
本発明の課題は、レンズ鏡筒が光軸に対して傾斜したときに、このレンズ鏡筒に作用する力を軽減し、いわゆるかじりを生じることがないレンズ鏡筒の取付構造を提供することである。
【００１２】
【課題を解決するための手段】
本発明は、以下のような解決手段により、前記課題を解決する。なお、理解を容易にするために、本発明の実施の形態に対応する符号を付して説明するが、これに限定されるものではない。
すなわち、請求項１の発明は、レンズ鏡筒（１）の外周に形成された受け部（１００）と、前記受け部と係合し、光軸（Ｉ）と略平行な回転軸線回りの回転を許容する支持部材（７）とを備えるレンズ鏡筒の支持構造において、前記支持部材は、前記回転軸線方向と略平行に形成された案内部（７１ａ，７１ｂ）と、前記案内部の前後に形成され、前記回転軸線方向と略垂直方向に形成された摺動部（７１ｃ，７１ｄ）とを含み、前記受け部は、前記回転軸線に対して傾斜したときに、前記案内部（７１ｂ）と摺動自在に一点で接触して回転案内する案内受け部（９１ａ）と、前記摺動部の前後二点と摺動自在に接触して力を受ける摺動受け部（９１ｃ，９１ｄ）とを含むことを特徴とする。
【００１３】
【課題を解決するための手段】
請求項２の発明は、請求項１に記載のレンズ鏡筒の支持構造において、前記支持部材は、リング状部材（７）であり、前記受け部は、前記リング状部材と係合する凹状受け部（１００）であり、前記リング状部材及び前記凹状受け部の軸線方向（Ｘ）及びこの軸線と垂直方向（Ｙ）に対して、このリング状部材及び凹状受け部が対称となるように配置したときであって、前記凹状受け部（１００）が前記リング状部材（７）の回転軸線に対して傾斜した場合に、前記案内部（７１ａ）と前記案内受け部（９１ａ）とが接触するまでの角度θ１が、前記摺動部（７１ｄ）と前記摺動受け部（９１ｄ）とが接触するまでの角度θ２よりも大きくなるように形成されていることを特徴とする。
【００１４】
【発明の実施の形態】
（第１実施形態）
以下、図面等を参照して、本発明の実施形態について、さらに詳しくに説明する。なお、以下の説明において、従来の技術において説明した部材と同一の部材は、同一の符号を付して説明し、その部分の詳細な説明については省略する。
図１は、本発明の実施形態に係るレンズ鏡筒の支持構造における三脚リングと三脚リング受け部の寸法関係を説明するための図である。
【００１５】
図１に示すように、三脚リング７及び三脚リング受け部１００は、三脚リング７及び三脚リング受け部１００の軸線方向（図中Ｘ軸）及びこの軸線と垂直方向（図中Ｙ軸）に対して対称となるように配置されている。このために、三脚リング７及び三脚リング受け部１００のＸ軸方向及びＹ軸方向における間隙は、それぞれ等しくなっている。
図１において、ａは、三脚リング７のＸ軸と平行な部分の長さである。ｂは、三脚リング受け部１００（案内面９１）のＸ軸と平行な部分の長さである。ｒ１は、三脚リング７の内径側（案内面７１ａ，７１ｂ）における原点Ｏを中心とする回転半径である。ｒ２は、三脚リング７の外径側における原点Ｏを中心とする回転半径である。φｃは、三脚リング７の内径である。φｄは、三脚リング受け部１００の外径である。φｅは、三脚リング７の外径である。
【００１６】
θ１は、図１に示す状態において、三脚リング７の案内面７１ａが三脚リング受け部１００の案内受け面９１ａと接触するまでの角度である。θ１は、各部の寸法を用いることにより、以下のように表すことができる。
θ１＝ｓｉｎ-1〔ｃ／（２ｒ１）〕−ｓｉｎ-1〔ｄ／（２ｒ１）〕
また、θ２は、三脚リング７の摺動面７１ｄが三脚リング受け部１００の摺動受け面９１ｄと接触するまでの角度である。θ２は、各部の寸法を用いることにより、以下のように表すことができる。
θ２＝ｓｉｎ-1〔ｅ／（２ｒ２）〕−ｃｏｓ-1〔ｂ／（２ｒ２）〕
本発明の実施形態においては、θ１＞θ２の関係を満足するように、各部の寸法を決定することが好ましい。
【００１７】
図２は、本発明の実施形態に係るレンズ鏡筒の支持構造を示す断面図である。図３は、本発明の実施形態に係るレンズ鏡筒の支持構造により支持されたレンズ鏡筒が傾いた状態を示す断面図である。
図２に示すように、カメラボディ２のグリップ２ａが横方向に位置づけられているときには、カメラボディ２が装着された中望遠ズームレンズ鏡筒１の重心位置は、ほぼ三脚リング７の近傍に位置づけられる。このために、三脚リング受け部１００の案内受け面９１ａは、三脚リング７の案内面７１ａ，７１ｂと接触し、中望遠ズームレンズ鏡筒１は、その回転軸線に対して傾斜することなく三脚リング７により支持される。
【００１８】
撮影姿勢を横方向から縦方向に変更するときには、撮影者は、カメラボディ２のグリップ２ａを片手で握ったまま、中望遠ズームレンズ鏡筒１とカメラボディ２とを回転させる。その結果、図３に示すように、中望遠ズームレンズ鏡筒１とカメラボディ２との重心位置が変化し、中望遠ズームレンズ鏡筒１は、その回転軸線に対して傾斜した状態で回転する。しかし、前側摺動面７１ｃと後側摺動面７１ｄは、それぞれ前側摺動受け面９１ｃと後側摺動受け面９１ｄの２ヶ所において接触し、案内面７１ｂのみが案内受け面９１ａの１ヶ所と接触する。
なお、図２に示すように、中望遠ズームレンズ鏡筒１が図中右下がりではなく左下がりに傾斜して回転するときには、前側摺動面７１ｃと後側摺動面７１ｄは、それぞれ前側摺動受け面９１ｃと後側摺動受け面９１ｄの２ヶ所において接触し、案内面７１ａのみが案内受け面９１ａの１ヶ所と接触する。
【００１９】
本発明の実施形態では、中望遠ズームレンズ鏡筒１とカメラボディ２との重量及びこれらを回転するための操作力の一部は、案内面７１ａ又は案内面７１ｂの一方と案内受け面９１ａとの接触部のみに作用し、残りの外力は、前側摺動面７１ｃと前側摺動受け面９１ｃ、後側摺動面７１ｄと後側摺動受け面９１ｄの２ヶ所の接触部に作用させることができる。また、図１に示すように、各部の寸法は、θ１＞θ２の関係となるように定めることが好ましい。これにより、撮影姿勢を変化するときに、中望遠ズームレンズ鏡筒１とカメラボディ２を円滑、かつ、滑らかに回転することができ、案内受け面９１ａと案内面７１ａ，７１ｂとの接触部における、いわゆるかじりを防止することができる。
【００２０】
（他の実施形態）
以上説明した実施形態に限定されることはなく、本発明の技術思想によれば、種々の変形又は変更が可能であり、それらも本発明の均等の範囲内である。
例えば、本発明の実施形態では、中望遠ズームレンズ鏡筒１について説明したが、他のタイプのレンズ鏡筒についても適用することができる。また、中望遠ズームレンズ鏡筒１を三脚３に取り付けているが、三脚に限らず１脚の支持脚部材であってもよい。さらに、例えば、カメラボディ自体を支持する部材、被写体を支持する部材又はストロボなどのライティング装置を取り付けるような、三脚以外の部材であってもよい。本発明の実施形態では、三脚リング保持部材９に凹状の三脚リング受け部１００を形成しているが、三脚リング３に凹状の受け部を形成し、この受け部に係合する凸部を三脚リング保持部材９に形成してもよい。
【００２１】
【発明の効果】
以上詳しく説明したように、請求項１記載の発明によれば、レンズ鏡筒に設けられた受け部が、回転軸線に対して傾斜しても、この受け部に設けられた案内受け部と支持部材の案内部とが摺動自在に一点で接触し、支持部材の摺動部の前後二点と受け部に設けられた摺動受け部とが摺動自在に接触する。また、請求項２記載の発明によれば、摺動部と摺動受け部とが接触するまでの角度θ１を、案内部と案内受け部とが接触するまでの角度θ２よりも大きくしている。したがって、レンズ鏡筒を円滑、かつ、滑らかに回転することができ、案内部と案内受け部との接触部における、いわゆるかじりを防止することができる。
【図面の簡単な説明】
【図１】本発明の実施形態に係るレンズ鏡筒の支持構造における三脚リングと三脚リング受け部の寸法関係を説明するための図である。
【図２】本発明の実施形態に係るレンズ鏡筒の支持構造を示す断面図である。
【図３】本発明の実施形態に係るレンズ鏡筒の支持構造により支持されたレンズ鏡筒が傾いた状態を示す断面図である。
【図４】従来のレンズ鏡筒の支持構造によりレンズ鏡筒を三脚に取り付けた状態を示す側面図である。
【図５】従来のレンズ鏡筒の支持構造によりレンズ鏡筒を三脚に取り付けた状態を示す平面図である。
【図６】従来のレンズ鏡筒の支持構造を示す断面図である。
【図７】従来のレンズ鏡筒の支持構造により支持されたレンズ鏡筒が傾いた状態を示す断面図である。
【図８】従来のレンズ鏡筒の支持構造の他の例を示す断面図である。
【図９】従来のレンズ鏡筒の支持構造の他の例により支持されたレンズ鏡筒が傾いた状態を示す断面図である。
【符号の説明】
１  中望遠ズームレンズ鏡筒
２  カメラボディ
３  三脚
７  三脚リング
７１ａ，７１ｂ  案内面
７１ｃ  前側摺動面
７１ｄ  後側摺動面
９１  三脚リング保持部
９１ａ  案内受け面
９１ｃ  前側摺動受け面
９１ｄ  後側摺動受け面
１００  三脚リング受け部
Ｉ  光軸
【図１】
0003728612.tif 000002
【図２】
0003728612.tif 000003
【図３】
0003728612.tif 000004
【図４】
0003728612.tif 000005
【図５】
0003728612.tif 000006
【図６】
0003728612.tif 000007
【図７】
0003728612.tif 000008
【図８】
0003728612.tif 000009
【図９】
0003728612.tif 000010